(57)【特許請求の範囲】
【請求項１】
塩化水素溶液を電極に電力を供給することにより電気分解して有効塩素濃度が１０〜８０ｍｇ／Ｌ、ｐＨが５．０〜６．５である微酸性次亜塩素酸水を生成する方法であって、
チタン、またはチタンを含む合金を含む基材と、前記基材の少なくとも片面を被覆する、酸化イリジウム、白金族の金属の被膜を含む電極を搭載し、前記塩化水素水溶液が供給される供給開口と、電解液を排出するための排出開口と、前記排出開口を取り囲むようにして形成された第２開口とを備え、前記供給開口の総開口面積、前記排出開口の総開口面積、前記第２開口の面積が順に増加する複極式電解槽に電力を供給する工程と、
前記第２開口から排出される前記電解液を水で希釈する工程と、
を含む、方法。
【請求項２】
前記供給開口は、前記電極の片面面積の０．０１８〜０．４５％となるように形成され、前記排出開口は、前記電極の片面面積の０．０３６〜０．９％となるように形成される、
請求項１に記載の方法。
【請求項３】
さらに前記電極に対して前記電力を、０．２ｍＡ／ｍｍ２〜０．６ｍＡ／ｍｍ２の電流密度となるように制御する工程を含む、
請求項１または請求項２に記載の方法。
【請求項４】
塩化水素溶液を電極に電力を供給することにより電気分解して有効塩素濃度が１０〜８０ｍｇ／Ｌ、ｐＨが５．０〜６．５である微酸性次亜塩素酸水を生成する複極式電解槽であって、
チタン、またはチタンを含む合金を含む基材と、前記基材の少なくとも片面を被覆する、酸化イリジウム、白金族の金属の被膜を含む電極を搭載し、前記塩化水素水溶液が供給される供給開口と、電解液を排出するための排出開口と、前記排出開口を取り囲むようにして形成された第２開口とを備え、前記供給開口の総開口面積、前記排出開口の総開口面積、前記第２開口の面積が順に増加し、前記第２開口から排出される前記電解液を水で希釈する、複極式電解槽。
【請求項５】
前記供給開口は、前記電極の片面面積の０．０１８〜０．４５％となるように形成され、前記排出開口は、前記電極の片面面積の０．０３６〜０．９％となるように形成される、
請求項４に記載の複極式電解槽。
【請求項６】
請求項４〜５のいずれか１項に記載の複極式電解槽と、
前記複極式電解槽に電解電流を供給する電源と、
前記複極式電解槽に原料を供給するポンプと、
前記電解電流の値を測定する電流計と、
前記電解電流の値が０．２ｍＡ／ｍｍ２〜０．６ｍＡ／ｍｍ２の電流密度となるように前記ポンプの動作を制御して前記複極式電解槽の電極間における塩化水素の濃度を制御するように定電流運転する制御装置と
を含む、微酸性次亜塩素酸水を生成する生成装置。
【発明の詳細な説明】
【技術分野】
【０００１】
本発明は、微酸性次亜塩素酸水（通称、微酸性電解水）として参照される殺菌水の製造技術に関し、より具体的には、微酸性次亜塩素酸水の生成方法、複極式電解槽および生成装置に関する。
【背景技術】
【０００２】
微酸性次亜塩素酸水は、殺菌対象が広く、殺菌速度が速いうえに、無毒、無刺激で、かつ安価であることから、厚生労働省より食品添加物に指定されている。
【０００３】
また、食品生産現場に限らず、水産、農業、医療介護などの幅広い分野での利用が拡がりつつある。
【０００４】
微酸性次亜塩素酸水は、塩化水素溶液または塩化水素溶液と塩化ナトリウム溶液の混合物を電気分解することで得られるものであると定義されている。そして、塩分を含まず、高い殺菌作用を有する微酸性次亜塩素酸水を得る方法として、塩化水素溶液を電気分解し、遊離型次亜塩素酸の溶液を生成する方法が実用化されている。
【０００５】
微酸性次亜塩素酸水が強い殺菌力を安定的に保ち、かつ高い安全性を具備するように、有効塩素濃度の範囲は１０〜８０ｍｇ／Ｌ、ｐＨの範囲は５．０〜６．５とされている（平成２４年４月２６日  厚生労働省告示  第３４５号）。
【０００６】
しかし、有効塩素濃度やｐＨの範囲を上記の範囲に限ることは、生成過程の電解条件や電解槽の要素等による成分などの変動を考慮すると、生成過程の注意深い制御が重要となる。
【０００７】
生成物に重要な影響を与える電気分解の因子としては、原料である塩化水素溶液の濃度、その供給速度、電解槽の構造、電解電圧および電流、原水の物性などが挙げられる。
【０００８】
さらに、これらの因子が相互に関係し合うことで、生成される微酸性次亜塩素酸水の品質が左右される。そのため、品質の安定した微酸性次亜塩素酸水を生成するには、原料である塩化水素溶液の濃度、その供給速度、電解電圧、電解電流、希釈水流量、電解槽の構造、原水の物性、およびそれらの相互作用を吟味し、それらの制御を含めた生成過程を構築することが必要である。
【０００９】
電気分解の制御について特開２０１１−１０４５１９（特許文献１）では、一定電圧で電解し、生成した電解液を希釈水で希釈することにより、殺菌水を生成する方法であって、電解電流値を、測定された稀釈水の流量または殺菌水の成分濃度に依存するように制御する技術が開示されている。しかしながら、特許文献１では、原料である塩化水素溶液の濃度、その供給速度、電解槽の構造、電解電圧および電流、原水の物性などが微酸性次亜塩素酸水の生成に対して与える影響については開示されていない。
【先行技術文献】
【特許文献】
【００１０】
【特許文献１】特開２０１１−１０４５１９号公報
【発明の概要】
【発明が解決しようとする課題】
【００１１】
本発明は、上述した従来技術の問題点に鑑みてなされたものであり、本発明は、品質の安定した微酸性次亜塩素酸水を効率的に生成するための生成方法、複極式電解槽および生成装置を提供することを目的とする。
【課題を解決するための手段】
【００１２】
本発明者は、原料である塩化水素溶液の濃度、その供給速度、電解槽の構造、電解電圧および電流、原水の物性などの影響因子が生成物の品質に与える影響を詳細に調査した。そして、当該検討結果に基づいて複合的な作用因子を制御することにより、品質の安定した微酸性次亜塩素酸水を安定的に生成できることを見出し、本発明を完成させるに至ったものである。
【００１３】
すなわち、本発明によれば、塩化水素溶液を電極に電力を供給することにより電気分解して有効塩素濃度が１０〜８０ｍｇ／Ｌ、ｐＨが５．０〜６．５である微酸性次亜塩素酸水を生成する方法であって、
前記塩化水素水溶液が供給される供給開口と、電解液を排出するための排出開口と、前記排出開口を取り囲むようにして形成された第２開口とを備え、前記供給開口、前記排出開口、前記第２開口の順で面積が増加する複極式電解槽に電力を供給する工程と、
前記第２開口から排出される前記電解液を水で希釈する工程と、
を含む、方法を提供することができる。
【発明の効果】
【００１４】
本発明によれば、発生効率、生成物の安全性、電力効率、電極寿命を改善した、微酸性次亜塩素酸水を生成する生成方法、複極式電解槽および生成装置が提供できる。
【図面の簡単な説明】
【００１５】
【図１】電解装置の詳細な実施形態を示す図。
【図２】電極７の複極式電極の断面を示す図。
【図３】生成方法の実施形態を示す図。
【図４】電解電圧と電気分解により発生する副生成物の濃度の関係を示すグラフ。
【発明を実施するための形態】
【００１６】
以下、本発明を実施形態によって説明するが、本発明は後述する実施形態に限定されるものではない。図１は、微酸性次亜塩素酸水の電解装置（以下、単に電解装置として参照する）の実施形態を示す図である。
【００１７】
図１に示す電解装置３０は、電極７を含んで構成される電解槽と、電解装置筐体１６とを含んで構成されており、電解装置筐体１６は、電解液を希釈すると共に電解槽を冷却するための水（以下、希釈水として参照する）が満たされている。電解槽によって生成された高濃度の次亜塩素酸を含有する電解液は、電解槽の開口１１から排出される。希釈水供給口１９から供給される希釈水１４は、電解槽を冷却しながら電解液を希釈し、本実施形態における微酸性次亜塩素酸水１２を排出口１７から排出する。
【００１８】
電解槽は、絶縁性のフレーム１５、上蓋９、下蓋６および図示した実施形態では、５つの電極７を備えている。フレーム１５は、上蓋９および下蓋６を水密に保持し、電極７の側端を保持しており、電解液を希釈水１４から隔離している。上蓋９および下蓋６は、電極７の上端および下端を保持し、所定の電位差の下での電気分解を可能としている。最外部にある２枚の電極７には、電源（不図示）から給電端子１８を介して電解電流が供給されていて、複極式の電解槽を形成する。なお、電極７は、平行とされ、均一な電界を形成することができる限り平板に限定されるわけではなく、平行曲面を形成する形状とされていても良い。
【００１９】
下蓋６の単位電解槽を形成する領域には、原料を供給するための供給開口５がそれぞれ形成されている。また、上蓋９には電解液を排出するための排出開口１０が、単位電解槽ごとに形成されており、高濃度の次亜塩素酸を含有する電解液を、開口１１から電解装置筐体１６の希釈水１４が充満した領域に排出させている。電解液は、希釈水１４によって希釈されて、所定の次亜塩素酸濃度およびｐＨとされて、排出口１７から微酸性次亜塩素酸水１２として排出される。
【００２０】
供給開口５および排出開口１０の径は特に制限されるものではないが、例えば特許第４７１２９１５号明細書に記載されるように、供給開口５は、単位電解槽あたり１つでも複数でもかまわないが、総開口面積で例えば、電極の有効片面面積の０．０１８〜０．４５％となるように数およびサイズを設定することができる。また、排出開口１０についても単位電解槽あたり１つでも複数でもかまわないが、総開口面積で例えば、電極の有効片面面積の０．０３６〜０．９％の数およびサイズとすることができる。
【００２１】
フレーム１５の下部には、原料供給口４が形成されており、原料タンク（不図示）に蓄積された原料を供給チューブ２およびポンプ（不図示）を使用して原料を電解槽に供給する。本実施形態では、原料は、塩化水素溶液を使用する。
【００２２】
また、供給開口５は、フレーム１５の下部に形成された共通流路を通して、原料の供給を受け、単位電解槽への原料供給量が均等になるようにされている。原料は、供給開口５からそれぞれの単位電解槽に供給され、電気分解をうけながら上昇して行き、電解液として排出開口１０から排出される。
【００２３】
複数の排出開口１０は、その上部に形成された共通排出路へと電解液を排出する。この共通排出路は、各単位電解槽の出口圧を均等化させることを可能とし、単位電解槽ごとの液流量を均一化させるバッファ通路を提供する。電解液は、この共通排出路を通してフレーム１５に形成された排出開口１０よりも大面積で形成された開口１１から電解装置筐体１６の希釈水１４を流通させる部分に送られ、希釈された後、排出口１７から微酸性次亜塩素酸水１２として排出される。複極式電解槽においては、単位電解槽間で液流量に差が生じると、特に流速の遅い単位電解槽内の液体中の電気伝導量が低下し、それが全体の電解槽の電気伝導度を低下させる。それに対し、本実施形態の電解槽は、各単位電解槽の流速が均一化されることによって、生成される微酸性次亜塩素酸水の品質に与える変動を抑制し、安定した品質の微酸性次亜塩素酸水を供給する。
【００２４】
図２は、電極７の複極式電極の断面を示す図である。電極７は、電極基材７ａと、陽極面７ｂと、陰極面７ｃとを含んでいる。電極基材７ａは、チタン、またはチタンを含む合金を含む材料から構成することができる。陽極面７ｂは、電極基材７ａを被覆する被膜として形成され、酸化イリジウムを含む材料で形成することができる。陰極面７ｃは、電極基材７ａそのもの、または白金族の金属を含む物質で電極基材７ａを被覆することにより形成される。
【００２５】
電極７は、上記構成の複極式電極を採用することによって、平板電極の構造を単純化しながら、陽極および陰極で適切な電気分解特性を提供することが可能となり、電解効率を改善し、微酸性次亜塩素酸水の生成効率を向上させることができる。さらに、電極７を薄型化できることから、電解槽の容積も小サイズ化することができる。
【００２６】
図３は、図１の電解装置３０を使用して微酸性次亜塩素酸水１２を生成する、生成装置を示す模式図である。図３中、電解装置筐体１６内部の構造は、図１および図２で説明した通りなので、詳細な記載を省略して示している。原料である塩化水素溶液は原料タンク１に蓄積されており、供給チューブ２およびポンプ３を使用して原料を電解装置筐体１６内部の電解槽に供給する。電源１３は、給電端子１８に接続され、電解電流を電解槽に供給する。電解電流の値は、電流計２０によって測定される。
【００２７】
電流計２０で測定された電流値は、制御装置２１に与えられる。制御装置２１は、電流値の変動に応じて、連続的に電気分解を行う場合のポンプ３の動作を制御することができる。例えば、制御装置２１にあらかじめ電流値の範囲を設定しておき、測定した電流値が設定値未満の場合には、ポンプ３を動作させて原料の供給を開始させる。また、測定した電流値が設定値を超えた場合には、ポンプ３を停止し、原料の供給を停止する。これによって、連続的に電気分解を行う場合であっても、電気分解の速度を一定に保つことができる。
【００２８】
以下に、図３の生成装置にて、効率的に微酸性次亜塩素酸水を生成するための、単位電解槽当たりの電圧、隣接する電極表面間の距離（以下、電極間隔として参照する）、電極の単位面積当たりの電流値（以下、電流密度として参照する）、単位時間に単位電解槽の単位容積当たりに供給される純塩化水素ミリモル数（以下、塩化水素供給量として参照する）、および塩化水素１ミリモル当たりの電気量（以下、塩化水素単位供給速度当たりの電流値として参照する）について述べる。
【００２９】
単位電解槽当たりに印加する電圧は、好ましくは０．５Ｖ以上、６．０Ｖ以下、より好ましくは、１．５Ｖ以上、４．０Ｖ以下とすることができる。電圧が０．５Ｖ未満では、塩素の発生効率が低くなり、電圧が６．０Ｖを超えると、塩素の発生量は増加するが、副生成物が発生し、微酸性次亜塩素酸水としての品質が悪化する。そして、単位電解槽当たりに印加する電圧を１．５Ｖ以上、４．０Ｖ以下とすることで、制御の際の電圧自動設定誤差が生じた場合にも、安定して、効率的、かつ高品質な微酸性次亜塩素酸水を生成することができる。
【００３０】
電極間隔は、好ましくは０．５ｍｍ以上、１０ｍｍ以下とすることができ、より好ましくは、１ｍｍ以上、８ｍｍ以下である。電極間隔が０．５ｍｍ未満では、電気分解の際に発生した気泡が分離しにくく、電流が安定しない。また、電極間隔が１０ｍｍを超えた場合には、電力の損失が生じることや、電解槽内の電解液の更新が悪くなることによって、電力効率が悪化する。したがって、電極間隔を、１ｍｍ以上、８ｍｍ以下とすることで、生成装置を製作する際の寸法精度のバラツキによる影響を防止しながら、安定的かつ効率的に微酸性次亜塩素酸水を生成することができる。
【００３１】
また、単位電解槽当たりに印加する電圧および電極間隔から、電界強度を定義することができる。電界強度は、電圧を電極間隔で除した値であり、上記の単位電解槽当たりに印加する電圧および電極間隔の上限値と下限値から、０．１８７５Ｖ／ｍｍ以上、４．０Ｖ／ｍｍとすることで、効率的に微酸性次亜塩素酸水を生成することができる。
【００３２】
電流密度は、好ましくは０．０５ｍＡ／ｍｍ２以上、１．０ｍＡ／ｍｍ２以下、より好ましくは０．２ｍＡ／ｍｍ２以上、０．６ｍＡ／ｍｍ２以下とすることができる。電流密度が０．０５ｍＡ／ｍｍ２未満では、電極面積が大きくなることで、単位面積当たりの電解量の減少や、生成装置の大型化につがなる。また、電流密度が１．０ｍＡ／ｍｍ２を超えると、電極の消耗が早くなり、結果、生成装置の寿命が短くなる。したがって、電流密度を０．２ｍＡ／ｍｍ２以上、０．６ｍＡ／ｍｍ２以下とすることで、生成装置サイズを制限でき、長期的に安定運転可能であり、経済的に有利な生成装置を提供することができる。
【００３３】
塩化水素供給量は、好ましくは０．０００６ｍＭｏｌ／ｈｍｍ３以上、０．０１３ｍＭｏｌ／ｈｍｍ３以下、より好ましくは０．００１３ｍＭｏｌ／ｈｍｍ３以上、０．００６３ｍＭｏｌ／ｈｍｍ３以下とすることができる。塩化水素供給量が０．０００６ｍＭｏｌ／ｈｍｍ３未満では、電力の損失による電力効率の低下につながり、塩化水素供給量が０．０１３ｍＭｏｌ／ｈｍｍ３を超えると、塩素の変換率の低下につながる。したがって、塩化水素供給量を０．０００６ｍＭｏｌ／ｈｍｍ３以上、０．０１３ｍＭｏｌ／ｈｍｍ３以下とすることで、適切な塩素の生成効率を維持することができる。なお、塩化水素供給量Ｍは、塩化水素の物質量ｎ、電解時間ｔ、電極面積Ｓ、電極間隔Ｄとして、下記式（１）から求められる値である。
【００３４】
【数１】
0006528183.tif 000002
【００３５】
これまでに示した諸条件が相互に影響することを考慮して、電流Ｉと原料の供給量（電極面積Ｓ、電極間隔Ｄ、塩化水素供給量Ｍの積）の比、具体的には、下記式（２）で与えられる、塩化水素単位供給速度当たりの電流値ＩＨＣｌは、１．９０ｍＡｈ／ｍＭｏｌ以上、４６０ｍＡｈ／ｍＭｏｌ以下、より好ましくは９．２０ｍＡｈ／ｍＭｏｌ以上、２３０ｍＡｈ／ｍＭｏｌ以下とすることができる。塩化水素単位供給速度当たりの電流値が上記の範囲内であれば、一定の電解状態を保ち、生成物の特性を一定に制御することができる。
【００３６】
【数２】
0006528183.tif 000003
【００３７】
これまで、本発明を実施形態をもって説明したが、以下、本発明をより具体的な試験例、および実施例によって説明する。
（試験例１）
【００３８】
図１に記載した生成装置を使用し、塩化水素０．１５％を含む溶液を、電極間隔３ｍｍで配置した単位電解槽で電気分解した。使用した電極は、陽極が酸化イリジウムで被覆され、陰極が白金で被覆された、２５００ｍｍ２（５０ｍｍ×５０ｍｍ）の面積を有するチタン板を使用した。種々の電圧において、回分式電解装置を使用し、任意の初期電流値から電気分解を開始し、電流値が初期値の９５％に低下した時点で電気分解を終了した。塩素量の測定は、空中捕集した量と、電解液に残留した量とを合わせ、ヨウ素滴定によって求めて、単位時間当たりの発生量に換算した。対理論値発生量比とは、電気量とファラデー定数から算出する理論生成量に対する、実発生量の比を百分率で表したもので、下記式（３）により算出する。
【００３９】
【数３】
0006528183.tif 000004
【００４０】
ここで式（３）中のＣは塩素発生量（ｍｇ）、Ｆはファラデー定数（９６５００Ｃ／Ｍｏｌ）、Ｉは、電流値（Ａ）、ｔは、発生時間（秒）を表し、定数３５．５は塩素の原子量である。電気分解を行った結果を下記表１に示す。
【００４１】
【表１】
0006528183.tif 000005
【００４２】
次に、高い電圧で電気分解を行うと副反応による副生成物の種類が増えることが知られていることから、電解電圧の値によって生成する副生成物を調べた。塩化水素溶液を、各電圧で５分間電気分解を行い、電解液中の副生成物を、電気伝導度検出器を具備したイオンクロマトグラフィーで測定した。発生した副生成物の結果を下記表２および図４に示す。
【００４３】
【表２】
0006528183.tif 000006
【００４４】
表１、表２および図４より、電解電圧が１．５Ｖ以上において効率的に塩素が生成し、電解電圧が４．０Ｖ以下では副生成物の生成が無かったことから、良好な電気分解が行われていることが確認された。
（試験例２）
【００４５】
試験例１で使用した生成装置における電解槽の電極間隔を変化させたことを除き、その他の条件を統一にして０．１５％塩化水素溶液を電気分解した。電解電圧は、２．５Ａの電流を流すために必要な電圧とし、対理論値発生量比を測定した。結果を下記表３に示す。
【００４６】
【表３】
0006528183.tif 000007
【００４７】
表３より、電極間隔を大きくすると、電気抵抗が大きくなり、電力の損失が生じていることがわかる。また、電解槽内の液の流れが複雑になり、槽内の電解液の更新が悪くなることで、電力効率が低下する。一方で電極間隔が０．５ｍｍの場合では、発生した気泡の滞留による電流値の変動が見られた。そこで、電極間隔は１ｍｍ以上、８ｍｍ以下とすることで、良好な電気分解がなされることが確認できた。
（試験例３）
【００４８】
塩化水素１％を含む溶液を、図１に記載した生成装置を使用して、種々の電流密度にて電気分解した。電極としては、酸化イリジウムを主成分とする被覆材を０．２μｍの厚さで被覆したチタン面を陽極面とし、無垢のチタン面を陰極面とした。電極の面積は、２５００ｍｍ２（５０ｍｍ×５０ｍｍ）とした。設定した電流密度を保つため、図３の生成方法において、電流値が設定値未満になると原料を供給し、設定値を超えると供給を停止するように制御した。また、電極の消耗を加速するために液温を４５℃に保ち、最初に設定した電圧条件（２．５Ｖ）で電流値を維持できなくなり、原料の供給が連続的になるまでの時間を耐久時間とした。電気分解を行った結果を下記表４に示す。
【００４９】
【表４】
0006528183.tif 000008
【００５０】
表４の結果から、電流密度が０．６ｍＡ／ｍｍ２以下であれば、実用に耐える耐久時間が得られることが確認できた。一方、電流密度が０．２ｍＡ／ｍｍ２を下回ると、電極面積当たりの電解量が減少し、電流密度と耐久時間を掛け合わせた生涯効果が小さくなり、経済的に不利であることが確認できた。
（試験例４）
【００５１】
図１の生成装置を使用し、０．１５％塩化水素溶液を種々の供給量で連続的に供給しながら単位電解槽当たりの電圧を２．５Ｖで電気分解し、塩素変換率を測定した。電極としては、陽極面を酸化イリジウムで被覆したチタン面とし、陰極面を無垢のチタン面とした。電極面積を７５００ｍｍ２（５０ｍｍ×１５０ｍｍ）とし、電極間隔を３ｍｍとした。塩素変換率とは、供給された全塩素イオンに対する、生成次亜塩素酸に含まれる塩素の比率である。次亜塩素酸に含まれる塩素の量は、ヨウ素滴定によって測定した。測定した結果を、下記表５に示す。
【００５２】
【表５】
0006528183.tif 000009
【００５３】
表５の対理論値発生量比および塩素変換率から、塩化水素供給量は、０．０００６ｍＭｏｌ／ｈｍｍ３以上、０．０１３ｍＭｏｌ／ｈｍｍ３以下の範囲が適切であることが確認できた。また、単位電解槽当たりの電圧を２Ｖおよび３Ｖとして測定をしたところ、適切な塩化水素供給量の範囲は同様であることが確認できた。
（試験例５）
【００５４】
図１の生成装置を使用し、０．２５％塩化水素溶液を、単位電解槽当たりの印加電圧２．５Ｖで電気分解し、塩素変換率および対理論値発生量比を測定した。電極としては、陽極面を酸化イリジウムで被覆したチタン面とし、陰極面を無垢のチタン面とした。電極面積は２５００ｍｍ２（５０ｍｍ×５０ｍｍ）とした。式（２）で与えられる、塩化水素単位供給速度当たりの電流値は、試験例２〜４で示した各要因の範囲である、電流密度０．２〜０．６ｍＡ／ｍｍ２、電極間隔１〜８ｍｍ、塩化水素供給量０．００１３〜０．０１３ｍＭｏｌ／ｈｍｍ３の下限値と上限値から、最小境界が１．９２ｍＡｈ／ｍＭｏｌ、最大境界が４６２ｍＡｈ／ｍＭｏｌと求まる。両境界の条件で測定した塩素変換率および対理論値発生量比の結果を下記表６に示す。
【００５５】
【表６】
0006528183.tif 000010
【００５６】
表６の結果から、塩化水素単位供給速度当たりの電流値が１．９２〜４６２ｍＡｈ／ｍＭｏｌの範囲において、実用的な塩素変換率および対理論値発生量比で電気分解が行われることを確認した。
【実施例１】
【００５７】
図１に示した生成装置と同様の構成の生成装置を、事業者用として、有効塩素濃度２０ｐｐｍの微酸性次亜塩素酸水を１時間当たり１５０００リットル生成するスケールで製作した。電解槽を、単位電解槽が１８個から成る、複極式電解槽とした。上述した量の微酸性次亜塩素酸水を生成するために必要な塩素の量は、１時間当たり約３００ｇ（８．４５Ｍｏｌ）であることから、必要な電気量は８１５０００クーロンとなる。発生率を５０％とすると、必要な合計電流値は４５３Ａとなり、単位電解槽当たりの電流値は２５Ａとなる。
【００５８】
電極当たりの電流値は２５Ａであることから、電流密度を表４の結果の中間値である０．４ｍＡ／ｍｍ２とすると、電極面積は６２９００ｍｍ２となるので、４２０ｍｍ×１５０ｍｍの電極を使用した。電極間隔は４ｍｍとした。陽極面は酸化イリジウムを主成分とする混合物をチタン板に被覆し、陰極面は白金をチタン板に被覆した。
【００５９】
塩化水素供給量は、式（２）に上記の電流密度および電極間隔を代入して整理すると、０．０００２２〜０．００５３ｍＭｏｌ／ｈｍｍ３と算出されるので、中間値の０．００２ｍＭｏｌ／ｈｍｍ３とした。この値から、１０％塩化水素溶液を１時間当たり３．３リットル供給した。
【００６０】
上記の条件で、電解槽に３６Ｖの電圧を印加したところ、電流値は３５〜３８Ａで推移し、ｐＨ６．０〜６．３、有効塩素濃度１５〜２０ｐｐｍの微酸性次亜塩素酸水を、１時間当たり１５０００リットルで安定して生成した。また、この生成装置にて印加電圧３６Ｖで電気分解し、２４．５Ａ未満になったら塩化水素溶液の供給を開始し、２５．５Ａを超えたら塩化水素溶液の供給を停止する定電流運転を行った。この結果、有効塩素濃度１８±２ｐｐｍ、ｐＨ６．１±０．２の微酸性次亜塩素酸水を１時間当たり１５０００リットルで安定して生成することができた。
【実施例２】
【００６１】
図１に示した生成装置と同様の構成の生成装置を、家庭用または小規模利用者用として、有効塩素濃度３０ｐｐｍの微酸性次亜塩素酸水を１時間当たり５０リットル生成するスケールで製作した。上述した量の微酸性次亜塩素酸水を生成するために必要な塩素の量は、１時間当たり１．５ｇであり、生成効率を５０％とすると、電流は電解槽全体で１．１Ａ必要である。
【００６２】
ここでは生成装置を小型化するために、電極間隔を１ｍｍ、電流密度を０．６ｍＡ／ｍｍ２となるように、２０ｍｍ×５０ｍｍの電極を用いた。陽極面は酸化イリジウムを主成分とする混合物をチタン板に被覆し、陰極面は白金をチタン板に被覆した。また、電解槽は、単位電解槽が２個から成る、複極式電解槽とすることで、電解槽全体の大きさを３０ｍｍ×６５ｍｍ×１５ｍｍと小型化した。
【００６３】
塩化水素供給量は、式（２）に上記の電流密度および電極間隔を代入して整理すると、０．００１３〜０．３２ｍＭｏｌ／ｈｍｍ３と算出されるので、中間値の０．１５ｍＭｏｌ／ｈｍｍ３とした。この値から、５％塩化水素溶液を１時間当たり０．３リットル供給した。
【００６４】
上記の条件で、単位電解槽当たり２．５Ｖの電圧を印加し、電気分解したところ、ｐＨ５．４〜５．６、有効塩素濃度３０ｐｐｍの微酸性次亜塩素酸水を１時間当たり５０リットルで安定して生成することができた。
【００６５】
これまで説明してきた実施形態および実施例から、本発明によれば、微酸性次亜塩素酸水を安定かつ効率的に生成することができる。また、その用途は家庭用の小規模な生成装置から、事業者用の大規模な生成装置まで、幅広く応用することができる。
【符号の説明】
【００６６】
１        ：原料タンク
２        ：供給チューブ
３        ：ポンプ
４        ：原料供給口
５        ：供給開口
６        ：下蓋
７        ：電極
７ａ      ：電極基材
７ｂ      ：陽極面
７ｃ      ：陰極面
９        ：上蓋
１０      ：排出開口
１１      ：開口
１２      ：微酸性次亜塩素酸水
１３      ：電源
１４      ：希釈水
１５      ：フレーム
１６      ：電解装置筐体
１７      ：排出口
１８      ：給電端子
１９      ：希釈水供給口
２０      ：電流計
２１      ：制御装置
３０      ：電解装置
【図１】
0006528183.tif 000011
【図２】
0006528183.tif 000012
【図３】
0006528183.tif 000013
【図４】
0006528183.tif 000014